(57)【要約】【課題】      各楔状空間が交互に軸方向変位して配置されると共に、各楔状空間の少なくとも一部が周方向に重合配置されていることで大型化することなく逆転防止力を向上させたこと。【解決手段】  規制部材８のころがり部材３０が挿入される複数の規制空間８０が軸方向で３層に形成され、軸方向の中間層の規制空間８０′に対して左側層と右側層の各規制空間８０は周方向に交互に軸方向変位して配置されると共に、周方向に重合配置されることで、内輪２３と外輪９の複数のカム面９ｃで構成される各楔状空間の少なくとも一部が周方向に重合配置されている。  カム面９ｃにはころがり部材３０の自由回転領域αところがり部材３０の回転が阻止される阻止面βが形成され、ころがり部材３０は規制空間８０内の一方の規制部８０ａに付勢部材８１で押圧されると共に内輪２３の外周に載せられている。【選択図】        図３
2005052118.tif 000002
【特許請求の範囲】
【請求項１】
リ−ル本体に回転可能に支持されたハンドルに連動回転する内輪と、リ−ル本体に回り止めされた外輪とが径方向内外に略同芯状に配置され、前記両輪の対向面の何れか一方の複数箇所にカム面が形成され、各カム面と他方の対向面との間に楔状空間が形成され、各楔状空間内にころがり部材が配置されると共に、各ころがり部材を付勢する付勢部材を備え、各ころがり部材の周方向移動範囲を規制すると共に前記付勢部材の少なくとも一部を収容する付勢部材収容空間を備えた魚釣用リ−ルの逆転防止装置において、前記各楔状空間を軸方向に複数並列配置し、かつ並列して隣り合う各楔状空間を周方向に所定量変位して配置すると共に、前記複数列の楔状空間を軸方向に所定量変位して、前記各楔状空間の少なくとも一部が周方向に重合配置されていることを特徴とする魚釣用リ−ルの逆転防止装置。
【請求項２】
前記重合配置する部位は、前記規制部材に形成された付勢部材収容空間の軸方向側部における少なくとも何れか一方であることを特徴とする請求項１記載の魚釣用リ−ルの逆転防止装置。
【請求項３】
前記各楔状空間における少なくとも何れか一つに配置されたころがり部材の軸方向長さを、他の楔状空間内に配置されたころがり部材の軸方向長さとは異なる長さとしたことを特徴とする請求項１または２記載の魚釣用リ−ルの逆転防止装置。
【発明の詳細な説明】
【技術分野】
【０００１】
本発明は、釣糸を巻き取る方向とは逆方向の釣糸繰り出し方向への回転を阻止する魚釣用リ−ルの逆転防止装置の改良に関する。
【背景技術】
【０００２】
従来、魚釣用リ−ルには、釣糸を巻き取る巻取り駆動により回転させる回転体の釣糸繰り出し方向への回転を阻止する逆転防止装置が備えられており、前記逆転防止装置における逆転方向の遊度を少なくしてフッキング操作性やドラグの滑り出し特性を向上させるべく、前記の逆転防止装置としてころがり式一方向クラッチを用いる構成は公知である。
通常魚釣用リ−ルに用いられているころがり式一方向クラッチは、逆転防止力を最優先としてトルク容量の大きい一方向クラッチを用いることが一般的であるが、回転体の逆転方向の回転方向が速い場合に楔作用面に対してころがり部材が滑り確実な楔作用が得られずに逆転方向への空転が生じる不具合が指摘されている。
前記症状が出る際は、軸方向に一方向クラッチを複数配置する、或は周方向に配置するころがり部材の数を増やす等、楔作用するころがり部材の数を増やす必要が有りユニットが大型化する不具合が生じる。
【０００３】
前記不具合を解消するべく、本出願人は特許文献１において、一方向クラッチユニット内に並列にころがり部材を配置した構成を出願した。
【特許文献１】特開２００２−１１９１８２号
【発明の開示】
【発明が解決しようとする課題】
【０００４】
解決しようとする問題点は、前記特許文献１の構成は、一方向クラッチユニットの大型化を抑えながら、ユニット内にころがり部材を数多く配置できるといった優れた効果を備えるが、大型化を抑える為にころがり部材の軸方向長さが制限されてしまうので、逆転トルク力を更に向上させようとして、ころがり部材の軸方向長さを長くすると、一方向クラッチが軸方向に大型化してしまう。
また、逆転防止力を向上させるべく、ころがり部材の数を増やすと釣糸巻取り回転時の正転トルクが増大し、巻取りが重くなるので更に改善が必要とされている。
等の問題があることである。
【０００５】
本発明の目的は前記欠点に鑑み、各楔状空間が交互に軸方向変位して配置させると共に、各楔状空間の少なくとも一部が周方向に重合配置させていることで大型化することなく逆転防止力を向上させた魚釣用リ−ルの逆転防止装置を提供することである。
【課題を解決するための手段】
【０００６】
本発明の請求項１は、リ−ル本体に回転可能に支持されたハンドルに連動回転する内輪と、リ−ル本体に回り止めされた外輪とが径方向内外に略同芯状に配置され、前記両輪の対向面の何れか一方の複数箇所にカム面が形成され、各カム面と他方の対向面との間に楔状空間が形成され、各楔状空間内にころがり部材が配置されると共に、各ころがり部材を付勢する付勢部材を備え、各ころがり部材の周方向移動範囲を規制すると共に前記付勢部材の少なくとも一部を収容する付勢部材収容空間を備えた魚釣用リ−ルの逆転防止装置において、前記各楔状空間を軸方向に複数並列配置し、かつ並列して隣り合う各楔状空間を周方向に所定量変位して配置すると共に、前記複数列の楔状空間を軸方向に所定量変位して、前記各楔状空間の少なくとも一部が周方向に重合配置されていることを要旨とするものである。
本発明の請求項２は、前記重合配置する部位は、前記規制部材に形成された付勢部材収容空間の軸方向側部における少なくとも何れか一方であることを要旨とするものである。
本発明の請求項３は、前記各楔状空間における少なくとも何れか一つに配置されたころがり部材の軸方向長さを、他の楔状空間内に配置されたころがり部材の軸方向長さとは異なる長さとしたことを要旨とするものである。
【発明の効果】
【０００７】
請求項１の本発明により、周方向複数箇所に配置された各楔状空間の少なくとも一部を周方向に重合配置することで、周方向に配置するころがり部材の数を増やし、且つ装置の軸方向長さを抑えることが可能となるので、逆転防止装置を大型化すること無く逆転防止力を向上させることが可能となる。
請求項２の本発明により、逆転防止装置の軸方向の長さを短くすることができる。
請求項３の本発明により、短いころがり部材で良好な噛み込み性を維持しながら長いころがり部材で逆転防止力を向上させることが出来るので、噛み込み性と逆転防止力といった相反する性能を同時に向上させることが出来る。
【発明を実施するための最良の形態】
【０００８】
規制部材のころがり部材が挿入された規制空間が軸方向に複層に形成され、交互に軸方向変位して配置されると共に、少なくとも一部が周方向に重合配置されることで、内輪と外輪の複数のカム面で構成される各楔状空間の少なくとも一部が周方向に重合配置されている。
カム面にはころがり部材の自由回転領域ところがり部材の回転が阻止される阻止面が形成されている。
【実施例１】
【０００９】
以下、図示の実施例によって本発明を説明すると、図１から図５は魚釣用両軸受型リ−ルに実施した第１実施例で、図１は魚釣用両軸受型リ−ルの要部断面平面図、図２は魚釣用両軸受型リ−ルのハンドル側の要部拡大断面平面図、図３は逆転防止装置の規制部材ところがり部材の拡大側面図、図４は逆転防止装置の拡大断面正面図、図５は逆転防止装置の分解斜視図である。
【００１０】
逆転防止装置Ａが組み込まれた魚釣用両軸受型リ−ルは、リ−ル本体Ｂが側枠１と側板Ｃ、Ｄで構成されている。
側枠１の左右両側枠１ａ、１ｂが複数本の支柱１ｃと図示しないリ−ル脚の固定板で一体的に平行に保持されて左右両側枠１ａ、１ｂの外側には夫々側板Ｃ、Ｄが取り付けられている。
側板Ｃは軸受構造体２と外側カバ−３とで構成されている。
側板Ｄは軸受構造体４と外側カバ−３′とで構成されている。
軸受構造体２の内側の筒部２ａ内に軸受１０が保持されて軸受１０でスプ−ル軸５の小径部５ａが軸承されている。
スプ−ル軸５の太径部５ｂにはスプ−ル６の筒軸部６ａが嵌合固定されている。
【００１１】
側板Ｄ側の右側枠１ｂのスプ−ル６側に筒部１ｄが突出形成されて筒部１ｄ内の段付透孔１ｅには軸受１１、１２が挿入されて軸受１１でスプ−ル軸５の太径部５ｂ他端が軸承されている。
軸受１２でピニオン１４の一端外周が軸承されている。
側板Ｄ側の軸受構造体４は円板部４ａの左側面に筒部４ｂが形成されると共に筒部４ｂの外側に外方に向けて鍔部４ｃが形成されて鍔部４ｃの複数箇所に透孔４ｄが形成され、右側枠１ｂの右側面に形成された筒部１ｆにビス１３でネジ止めされている。
円板部４ａの右側面には筒部４ｅが別体で形成されて固定されると共に、大径の外径が二段の筒部４ｆが一体に形成されている。
筒部４ｅ内の凹部内に軸受１５が挿入されてピニオン１４の他端が軸承されている。
筒部４ｅの外側外周のネジ部４ｇには調整ツマミ１６が螺合されている。
【００１２】
右側枠１ｂの凹部１ｆには軸受１７が挿入されてハンドル軸７の一端鍔部７ａが嵌合されて軸承されている。
軸受１７と鍔部７ａは抜け止め板１８で抜け止めされている。
ハンドル軸７は一端鍔部７ａと小径部７ｂと中径部７ｃと鍔部７ｄと太径部７ｅと、中径部７ｃと鍔部７ｄの外周の回り止め部７ｆと、太径部７ｅの回り止め部７ｇと、太径部７ｅ他端の回り止め部７ｈと、太径部７ｅ他端側外周のネジ部７ｉとで形成されている。
【００１３】
ハンドル軸７の太径部７ｅ外周には逆転防止爪車１９と歯車２０と駆動歯車２１と制動部材Ｅと押圧板２２ところがり式一方向クラッチからなる逆転防止装置Ａのカラ−からなる内輪２３と二枚のバネ板２４、２５と軸受２６が嵌合され、ネジ部７ｉにドラグ制動調整ハンドル２７が螺合されている。
回り止め部７ｈにはハンドル２８が回り止め嵌合されて袋ナット２９で抜け止めされている。
軸受構造体４の外径が二段の筒部４ｆ内の透孔４ｈにはころがり式一方向クラッチからなる逆転防止装置Ａが挿入され、透孔４ｉには軸受２６が挿入されている。
ピニオン１４に駆動歯車２１が噛合されている。
【００１４】
ころがり式一方向クラッチからなる逆転防止装置Ａは内輪２３と複数本の棒状ころがり部材３０ところがり部材３０の周方向の移動を規制する規制部材８と外輪９とで構成され、ころがり部材３０は内輪２３の外周に載せられている。
外輪９は有底筒状に筒部９ａの一側に中心に向けて鍔部が形成されて筒部９ａの中に、各規制空間８０の中にころがり部材３０が挿入された規制部材８が挿入されて止め環３１で抜け止めされている。
筒部９ａの内周９ｂには複数のカム面９ｃが形成され、カム面９ｃにはころがり部材３０の自由回転領域αところがり部材３０の回転が阻止される阻止面βが形成されて外輪９と対向面の内輪２３の間に楔状空間が形成されている。
筒部９ａの他側の内周開口には切欠き９ｄが形成されて止め環３１が係止される。
規制部材８の各規制空間８０位置と、外輪９と対向面の内輪２３の間に形成される楔状空間は対応されている。
【００１５】
規制部材８は筒部８ａの軸方向に３層で且つ外周の周方向に複数の規制空間８０が穿設され、各規制空間８０には４面で周方向の規制部８０ａと規制部８０ｂと、軸方向の規制部８０ｃと規制部８０ｄが形成され、規制部８０ａには内輪２３が逆回転時にころがり部材３０が当接される。
各規制空間８０の規制部８０ａとは反対側の規制部８０ｂには軸方向の中央に付勢部材８１が収容される段差で凹部状の収容空間部８０ｅが形成されると共に収容空間部８０ｅ内に付勢部材８１が一体に設けられている。
付勢部材８１は先端が二股に分かれてころがり部材３０に当接されてころがり部材３０を規制部８０ａに当接させるように付勢されている。
各規制空間８０の収容空間部８０ｅの軸方向の両側にはデットスペ−スがあり、このデットスペ−スに周方向及び軸方向に隣合う規制空間８０の一部が入り込んでいる。
【００１６】
従って各規制空間８０位置と対応する楔状空間は軸方向に複数並列配置し、並列して隣り合う各楔状空間を周方向に所定量ｂ変位して配置すると共に、前記複数列の楔状空間を軸方向に所定量ａ変位して、各楔状空間の少なくとも一部が周方向に重合配置されている。
図４は逆転防止装置Ａが軸方向の中間層位置で断面にして図示され、中間層位置の断面のころがり部材３０′と付勢部材８１に対して下層のころがり部材３０と付勢部材８１は破線で図示されてｂのように周方向に重合配置され、γは元位置からの移動量を示している。
【００１７】
魚釣用両軸受型リ−ルの動作は、ハンドル２８がスプ−ル６に釣糸が巻回される方向に回転されると、図４でハンドル軸７と内輪２３が時計方向に回転されて逆転防止装置Ａのころがり部材３０は楔状空間の自由回転領域αにあってハンドル軸７の回転が阻止されず、駆動歯車２１とピニオン１４とスプ−ル軸５を介してスプ−ル６が回転される。
次にスプ−ル６に巻回された釣糸が繰り出される時は、スプ−ル軸５とピニオン１４と駆動歯車２１を介してハンドル軸７と内輪２３が図４で反時計方向に回転されて逆転防止装置Ａのころがり部材３０は楔状空間の阻止面βに押圧されて内輪２３とハンドル軸７の回転が阻止され、駆動歯車２１内の制動部材Ｅで駆動歯車２１の回転に制動が掛けられることでピニオン１４とスプ−ル軸５とスプ−ル６の逆回転に制動が掛けられる。
内輪２３とハンドル軸７の回転が阻止される時、逆転防止装置Ａのころがり部材３０の数を増やすことができたので、逆転防止力を向上させることができる。
【００１８】
前記のように魚釣用リ−ルの逆転防止装置Ａが構成されると、周方向複数箇所に配置された各楔状空間の少なくとも一部を周方向に重合配置することで、周方向に配置するころがり部材３０の数を増やし、且つ装置の軸方向長さを抑えることが可能となるので、逆転防止装置を大型化すること無く逆転防止力を向上させることが可能となる。
【実施例２】
【００１９】
図６は逆転防止装置の第２実施例で、図６は逆転防止装置の規制部材ところがり部材の拡大側面図である。
【００２０】
第２実施例の逆転防止装置Ａの規制部材８′は筒部８ａの軸方向に３層で規制空間が穿設され、軸方向の中間層に軸方向に長い規制空間８２が、左側層と右側層に軸方向に短い規制空間８３、８３が夫々周方向に交互に配置されると共に軸方向及び周方向に図６のａ、ｂのように重合配置されている。
各長い規制空間８２には４面で周方向の規制部８２ａと規制部８２ｂと、軸方向の規制部８２ｃと規制部８２ｄが形成され、規制部８２ａには内輪２３が逆回転時にころがり部材３２が当接される。
各長い規制空間８２の規制部８２ａとは反対側の規制部８２ｂには軸方向の中央に付勢部材８１が収容される段差で凹部状の収容空間部８２ｅが形成されると共に収容空間部８２ｅ内に付勢部材８１が一体に設けられている。
【００２１】
各短い規制空間８３には４面で周方向の規制部８３ａと規制部８３ｂと、軸方向の規制部８３ｃと規制部８３ｄが形成され、規制部８３ａには内輪２３が逆回転時にころがり部材３３が当接される。
各短い規制空間８３の規制部８３ａとは反対側の規制部８３ｂには軸方向の中央に付勢部材８１が収容される段差で凹部状の収容空間部８３ｅが形成されると共に収容空間部８３ｅ内に付勢部材８１が一体に設けられている。
【００２２】
付勢部材８１は先端が二股に分かれてころがり部材３２、３３に当接されてころがり部材３２、３３を夫々規制部８２ａ、規制部８３ａに当接させるように付勢されている。
各規制空間８２、８３の収容空間部８２ｅ、８３ｅの軸方向の両側にはデットスペ−スがあり、このデットスペ−スに周方向及び軸方向に隣合う規制空間８２と規制空間８３の一部が夫々入り込んでいる。
各長い棒状のころがり部材３２が挿入され、各短い規制空間８３、８３には短い棒状のころがり部材３３が挿入される。
他の構成は前記第１実施例と略同一である。
【００２３】
第２実施例の逆転防止装置Ａのように、軸方向に長い規制空間８２と軸方向に短い規制空間８３、８３を規制部材８′の筒部８ａに夫々周方向に交互に配置させると共に軸方向及び周方向に重合配置して外輪９と内輪２３の間に複数の各楔状空間の少なくとも一部を周方向に重合配置することで、周方向に配置するころがり部材３２、３３の数を増やし、且つ装置の軸方向長さを抑えることが可能となるので、逆転防止装置を大型化すること無く逆転防止力を向上させることが可能となる。
更に長短のころがり部材３２、３３を使用することにより、短いころがり部材３３で良好な噛み込み性を維持しながら長いころがり部材３２で逆転防止力を向上させることが出来るので、噛み込み性と逆転防止力といった相反する性能を同時に向上させることが出来る。
【実施例３】
【００２４】
図７は逆転防止装置の第３実施例で、図７は逆転防止装置の規制部材ところがり部材の拡大側面図である。
【００２５】
第３実施例の逆転防止装置Ａの規制部材８″は筒部８ａの軸方向に２層で規制空間が穿設され、軸方向の左側層と右側層に夫々規制空間８４、８４が夫々周方向に交互に配置されると共に軸方向及び周方向に図７のａ、ｂのように重合配置されている。
各規制空間８４には４面で周方向の規制部８４ａと規制部８４ｂと、軸方向の規制部８４ｃと規制部８４ｄが形成され、規制部８４ａには内輪２３が逆回転時にころがり部材３４が当接される。
【００２６】
各規制空間８４の規制部８４ａとは反対側の規制部８４ｂには軸方向の中央に付勢部材８１が収容される段差で凹部状の収容空間部８４ｅが形成されると共に収容空間部８４ｅ内に付勢部材８１が一体に設けられている。
付勢部材８１は先端が二股に分かれてころがり部材３４に当接されてころがり部材３４を規制部８４ａに当接させるように付勢されている。
各規制空間８４の収容空間部８４ｅの軸方向の両側にはデットスペ−スがあり、このデットスペ−スに周方向及び軸方向に隣合う規制空間８４の一部が入り込んでいる。
規制空間８４、８４には夫々棒状のころがり部材３４が挿入される。
他の構成は前記第１実施例と略同一である。
【００２７】
第３実施例の逆転防止装置Ａのように、軸方向の左側層と右側層に夫々規制空間８４、８４が夫々周方向に交互に配置されると共に軸方向及び周方向に重合配置して外輪９と内輪２３の間に複数の各楔状空間の少なくとも一部を周方向に重合配置することで、周方向に配置するころがり部材３４の数を増やし、且つ装置の軸方向長さを抑えることが可能となるので、逆転防止装置を大型化すること無く逆転防止力を向上させることが可能となる。
【産業上の利用可能性】
【００２８】
前記逆転防止装置Ａが組み込まれるものは魚釣用リ−ルであれば、リ−ルの形態が限定されることはなく、例えば魚釣用スピニングリ−ルにも適用可能である。
【図面の簡単な説明】
【００２９】
【図１】第１実施例で、魚釣用両軸受型リ−ルの要部断面平面図である。
【図２】同魚釣用両軸受型リ−ルのハンドル側の要部拡大断面平面図である。
【図３】同逆転防止装置の規制部材ところがり部材の拡大側面図である。
【図４】同逆転防止装置の拡大断面正面図である。
【図５】同逆転防止装置の分解斜視図である。
【図６】逆転防止装置の第２実施例で、逆転防止装置の規制部材ところがり部材の拡大側面図である。
【図７】逆転防止装置の第３実施例で、逆転防止装置の規制部材ところがり部材の拡大側面図である。
【符号の説明】
【００３０】
Ａ  逆転防止装置
Ｂ  リ−ル本体
８  規制部材
８０ｅ  付勢部材の収容空間部
８１  付勢部材
９  外輪
９ｃ  カム面
２３  内輪
２８  ハンドル
３０、３２、３３、３４  ころがり部材
【図１】
2005052118.tif 000003
【図２】
2005052118.tif 000004
【図３】
2005052118.tif 000005
【図４】
2005052118.tif 000006
【図５】
2005052118.tif 000007
【図６】
2005052118.tif 000008
【図７】
2005052118.tif 000009